(57)【要約】【課題】伝言音声の終了が正確に判断することができないため、伝言録音のメモリ容量が浪費されていた。【解決手段】玄関子機２と、玄関子機からの呼出信号に応じて応答メッセージを玄関子機に出力した後、玄関子機からの伝言音声を録音する録音部２９を備えた室内親機３とを有するテレビドアホン装置１であって、室内親機は、呼出信号を検出すると、応答メッセージを出力する前に玄関子機の背景音を検出する背景音検出部４２と、背景音の音声レベルを時間平均して背景雑音レベルを算出し、この算出した背景雑音レベルを記憶する背景雑音レベル算出格納部４３と、伝言音声を録音する際に、伝言音声の音声レベルが背景雑音レベルよりも小さいと所定時間連続して判定されると、玄関子機の伝言音声を終了と判定する録音終了タイミング判定部４４と、伝言音声を終了と判断すると、録音部２９の録音動作を停止する親機側制御部３２とを有している。【選択図】図１
2007281655.tif 000002
【特許請求の範囲】
【請求項１】
呼出ボタンのボタン操作に応じて呼出信号を出力する玄関子機と、この玄関子機と接続し、前記玄関子機からの呼出信号に応じて応答メッセージを前記玄関子機に出力した後、前記玄関子機からの伝言音声を録音する録音手段を備えた室内親機とを有するドアホン装置であって、
前記室内親機は、
前記呼出信号を検出すると、前記応答メッセージを出力する前に、前記玄関子機側の収音動作を開始して前記玄関子機の背景音を検出する背景音検出手段と、
前記背景音検出手段にて検出した背景音の音声レベルを時間平均して背景雑音レベルを算出し、この算出した背景雑音レベルを記憶する背景雑音レベル算出手段と、
この背景雑音レベル算出手段にて前記背景雑音レベルを記憶した後、前記玄関子機からの伝言音声を前記録音手段に録音する際に、前記玄関子機からの伝言音声の音声レベルが前記背景雑音レベル算出手段に記憶中の前記背景雑音レベルよりも小さいか否かを順次判定し、前記伝言音声の音声レベルが前記背景雑音レベルよりも小さいと所定時間連続して判定されると、前記玄関子機の伝言音声を終了と判断する伝言終了判定手段と、
この伝言終了判定手段にて前記玄関子機の伝言音声を終了と判断すると、前記録音手段の録音動作を停止する制御手段とを有することを特徴とするドアホン装置。
【請求項２】
前記背景音検出手段は、
音声帯域外の雑音を除去する雑音除去手段を有し、前記玄関子機側の収音動作を開始すると、前記雑音除去手段を通じて前記玄関子機の収音音声から雑音を除去して、前記玄関子機の背景音として検出することを特徴とする請求項１記載のドアホン装置。
【請求項３】
前記室内親機は、
前記呼出信号に応じて前記応答メッセージを前記玄関子機に出力した後、前記玄関子機側の撮像手段にて撮像した映像を録画する録画手段を有し、
前記制御手段は、
前記伝言終了判定手段にて前記玄関子機の伝言音声を終了と判断すると、前記録画手段の録画動作を停止することを特徴とする請求項１又は２記載のドアホン装置。
【請求項４】
呼出ボタンのボタン操作に応じて呼出信号を出力する玄関子機と、この玄関子機と接続し、前記玄関子機からの呼出信号に応じて応答メッセージを前記玄関子機に出力した後、前記玄関子機からの伝言音声を録音する録音手段を備えた室内親機とを有するドアホン装置であって、
前記室内親機は、
前記呼出信号を検出すると、前記応答メッセージを出力する前に、前記玄関子機側の収音動作を開始して前記玄関子機の背景音を検出する背景音検出手段と、
前記背景音検出手段にて検出した背景音の音声レベルを時間平均して背景雑音レベルを算出し、この算出した背景雑音レベルを記憶する背景雑音レベル算出手段と、
前記録音手段による前記玄関子機の伝言音声の録音動作が完了したか否かを判定する録音完了判定手段と、
この録音完了判定手段にて前記録音手段の録音動作が完了したと判定されると、この録音手段に録音された伝言音声を順次再生し、この伝言音声の音声レベルが前記背景雑音レベル算出手段に記憶中の前記背景雑音レベルよりも小さいか否かを順次判定し、前記伝言音声の音声レベルが前記背景雑音レベルよりも小さいと所定時間連続して判定されると、前記玄関子機の伝言音声を終了と判断する伝言終了判定手段と、
この伝言終了判定手段にて前記玄関子機の伝言音声を終了と判断された時点の再生箇所以降の伝言音声の録音内容を前記録音手段から削除する制御手段とを有することを特徴とするドアホン装置。
【請求項５】
呼出ボタンのボタン操作に応じて呼出信号を出力する玄関子機と、この玄関子機と接続し、前記玄関子機からの呼出信号に応じて応答メッセージを前記玄関子機に出力した後、前記玄関子機からの伝言音声を録音する録音手段を備えた室内親機とを有するドアホン装置の録音制御方法であって、
前記室内親機側で前記呼出信号を検出すると、前記応答メッセージを出力する前に、前記玄関子機側の収音動作を開始して前記玄関子機の背景音を検出するステップと、
前記玄関子機の背景音の音声レベルを時間平均して背景雑音レベルを算出し、この算出した背景雑音レベルを記憶するステップと、
前記背景雑音レベルを記憶した後、前記玄関子機からの伝言音声を前記録音手段に録音する際に、前記玄関子機からの伝言音声の音声レベルが前記記憶中の前記背景雑音レベルよりも小さいか否かを順次判定し、前記伝言音声の音声レベルが前記背景雑音レベルよりも小さいと所定時間連続して判定されると、前記玄関子機の伝言音声を終了と判断するステップと、
前記玄関子機の伝言音声を終了と判断すると、前記録音手段の録音動作を停止するステップとを有することを特徴とするドアホン装置の録音制御方法。
【発明の詳細な説明】
【技術分野】
【０００１】
本発明は、例えば来訪者の呼出ボタンのボタン操作に応じて呼出信号を出力する玄関子機と、この玄関子機と接続し、前記呼出信号に応じて応答メッセージを前記玄関子機に出力した後、前記玄関子機からの来訪者の伝言音声を録音する留守録機能を備えた室内親機とを有するドアホン装置及び、そのドアホン装置の録音制御方法に関する。
【背景技術】
【０００２】
従来、このようなドアホン装置としては、来訪者の呼出ボタンのボタン操作に応じて呼出信号を出力する玄関子機と、この玄関子機と接続し、前記呼出信号に応じて、例えば「伝言をお願いします」等の応答メッセージを前記玄関子機に出力した後、前記玄関子機から来訪者の伝言音声を録音する留守録機能を備えた室内親機とを有している。
【０００３】
このような従来のドアホン装置によれば、来訪者の伝言音声を録音する室内親機側の録音部の録音容量は伝言音声の長さに関係なく、一回の伝言毎に予め定めた固定容量のメモリ領域を確保し、伝言毎に、固定容量分に相当する時間分の音声を録音できるようにしている。
【０００４】
しかしながら、従来のドアホン装置によれば、伝言音声の録音動作を開始して、来訪者が伝言を話さなかった場合や、伝言が極端に短かった場合でも、固定容量分に相当する時間分の音声を録音し、伝言音声以降の無音状態、例えば無音信号をも無駄に録音することになるため、録音部のメモリ容量を浪費し、例えばメモリ使用量が満杯で、その後の重要な伝言音声を録音することができないといった事態も考えられる。
【０００５】
そこで、このような事態に対処すべく、伝言音声以降の無音状態、例えば無音信号の録音動作を禁止し、録音部のメモリ容量の浪費を確実に抑える技術が様々な分野で考えられている。
【０００６】
このような従来技術としては、ドアホン装置の技術分野ではないが、電話機の技術分野にて、同電話機に無音信号を検出する機能を備え、例えば留守録モードで伝言に相当する受信信号を受信中に無音信号を検出すると、同受信信号の録音動作を禁止する技術がある（例えば特許文献１参照）。
【０００７】
この特許文献１においては、無音信号を検出する機能として、無音信号を検出する無音信号判定基準の無音基準レベルを予め設定しておき、受信信号の音声レベルが無音基準レベルよりも小さいか否かを判定し、受信信号の音声レベルが無音基準レベルよりも小さいと判定されると、受信信号を無音信号であると判断するようにしている。
【０００８】
従って、このような特許文献１によれば、伝言に相当する受信信号を受信中に無音信号を検出すると、伝言の終了と判断し、無音信号に関わる受信信号の録音動作を禁止するようにしたので、録音部の無駄な録音動作を防止し、その結果、録音部のメモリ容量の浪費を抑えることができるものである。
【０００９】
また、従来のドアホン装置としては、留守録モード中に、来訪者の呼出ボタンのボタン操作に応じて、来訪者の伝言録音はもちろんのこと、来訪者の映像をも撮像して、この撮像した映像を録画する機能を備えたものが知られている（例えば特許文献２参照）。
【特許文献１】特開平８−２５１２７５号公報（要約書及び図１参照）
【特許文献２】特開２００２−２７１７８１号公報（要約書及び図１参照）
【発明の開示】
【発明が解決しようとする課題】
【００１０】
しかしながら、上記特許文献１によれば、無音信号判定基準となる、予め設定した無音基準レベルに基づき無音信号を検出するようにしているが、そもそも通常の電話機を使用する環境下では、無音状態とはいえ背景雑音が存在し、その背景雑音も環境変化で常に変化しているため、無音基準レベルを固定とした場合、無音信号であるか否かの判断は正確に行うことはできず、仮にドアホン装置に同特許文献１の技術内容を採用したとしても、来訪者の伝言の終了を正確に認識することができないため、録音部では伝言音声以降の無音信号を録音してしまう無駄な録音動作を防止することができず、その結果、録音部のメモリ容量を浪費してしまうことになる。
【００１１】
また、上記特許文献２によれば、来訪者の伝言録音はもちろんのこと、来訪者の映像をも撮像して、この撮像した映像を録画するようにしたが、前述したように来訪者の伝言の終了を正確に認識することができないため、伝言音声を録音するメモリ容量はもちろんのこと、来訪者の映像を録画するメモリ容量をも浪費してしまうことになる。
【００１２】
本発明は上記点に鑑みてなされたものであり、その目的とするところは、伝言音声以外の無駄な録音動作を防止しながら、伝言音声を録音するメモリ容量の浪費を確実に抑えることができるドアホン装置及びドアホン装置の録音制御方法を提供することにある。
【００１３】
また、本発明は上記点に鑑みてなされたものであり、その目的とするところは、伝言録音のメモリ容量はもちろんのこと、伝言録音に伴う映像録画のメモリ容量の浪費を確実に抑えることができるドアホン装置を提供することにある。
【課題を解決するための手段】
【００１４】
上記目的を達成するために本発明のドアホン装置は、呼出ボタンのボタン操作に応じて呼出信号を出力する玄関子機と、この玄関子機と接続し、前記玄関子機からの呼出信号に応じて応答メッセージを前記玄関子機に出力した後、前記玄関子機からの伝言音声を録音する録音手段を備えた室内親機とを有するドアホン装置であって、前記室内親機は、前記呼出信号を検出すると、前記応答メッセージを出力する前に、前記玄関子機側の収音動作を開始して前記玄関子機の背景音を検出する背景音検出手段と、前記背景音検出手段にて検出した背景音の音声レベルを時間平均して背景雑音レベルを算出し、この算出した背景雑音レベルを記憶する背景雑音レベル算出手段と、この背景雑音レベル算出手段にて前記背景雑音レベルを記憶した後、前記玄関子機からの伝言音声を前記録音手段に録音する際に、前記玄関子機からの伝言音声の音声レベルが前記背景雑音レベル算出手段に記憶中の前記背景雑音レベルよりも小さいか否かを順次判定し、前記伝言音声の音声レベルが前記背景雑音レベルよりも小さいと所定時間連続して判定されると、前記玄関子機の伝言音声を終了と判断する伝言終了判定手段と、この伝言終了判定手段にて前記玄関子機の伝言音声を終了と判断すると、前記録音手段の録音動作を停止する制御手段とを有するようにした。
【００１５】
また、本発明のドアホン装置の録音制御方法は、呼出ボタンのボタン操作に応じて呼出信号を出力する玄関子機と、この玄関子機と接続し、前記玄関子機からの呼出信号に応じて応答メッセージを前記玄関子機に出力した後、前記玄関子機からの伝言音声を録音する録音手段を備えた室内親機とを有するドアホン装置の録音制御方法であって、前記室内親機側で前記呼出信号を検出すると、前記応答メッセージを出力する前に、前記玄関子機側の収音動作を開始して前記玄関子機の背景音を検出するステップと、前記玄関子機の背景音の音声レベルを時間平均して背景雑音レベルを算出し、この算出した背景雑音レベルを記憶するステップと、前記背景雑音レベルを記憶した後、前記玄関子機からの伝言音声を前記録音手段に録音する際に、前記玄関子機からの伝言音声の音声レベルが前記記憶中の前記背景雑音レベルよりも小さいか否かを順次判定し、前記伝言音声の音声レベルが前記背景雑音レベルよりも小さいと所定時間連続して判定されると、前記玄関子機の伝言音声を終了と判断するステップと、前記玄関子機の伝言音声を終了と判断すると、前記録音手段の録音動作を停止するステップとを有するようにした。
【発明の効果】
【００１６】
上記のように構成された本発明のドアホン装置によれば、前記室内親機にて前記玄関子機からの呼出信号を検出すると、前記応答メッセージを出力する前に、前記玄関子機側の収音動作を開始して前記玄関子機の背景音を検出し、前記背景音の音声レベルを時間平均して背景雑音レベルを算出し、この算出した背景雑音レベルを記憶した後、前記玄関子機からの伝言音声を録音手段に録音する際に、前記玄関子機からの伝言音声の音声レベルが背景雑音レベルよりも小さいか否かを順次判定し、前記伝言音声の音声レベルが背景雑音レベルよりも小さいと所定時間連続して判定されると、前記玄関子機の伝言音声を終了と判断し、前記録音手段の録音動作を停止するようにしたので、伝言録音の度に、玄関子機の現在周囲環境に応じた伝言録音直前の背景雑音レベルを算出し、この背景雑音レベルに基づき伝言音声の終了を判断することになるため、伝言音声の終了を確実に判断することができ、その結果、伝言音声以外の無駄な録音動作を防止しながら、伝言音声を録音するメモリ容量の浪費を確実に抑えることができる。
【００１７】
また、本発明のドアホン装置の録音制御方法によれば、前記室内親機にて前記玄関子機からの呼出信号を検出すると、前記応答メッセージを出力する前に、前記玄関子機側の収音動作を開始して前記玄関子機の背景音を検出し、前記背景音の音声レベルを時間平均して背景雑音レベルを算出し、この算出した背景雑音レベルを記憶した後、前記玄関子機からの伝言音声を録音手段に録音する際に、前記玄関子機からの伝言音声の音声レベルが背景雑音レベルよりも小さいか否かを順次判定し、前記伝言音声の音声レベルが背景雑音レベルよりも小さいと所定時間連続して判定されると、前記玄関子機の伝言音声を終了と判断し、前記録音手段の録音動作を停止するようにしたので、伝言録音の度に、玄関子機の現在周囲環境に応じた伝言録音直前の背景雑音レベルを算出し、この背景雑音レベルに基づき伝言音声の終了を判断することになるため、伝言音声の終了を確実に判断することができ、その結果、伝言音声以外の無駄な録音動作を防止しながら、伝言音声を録音するメモリ容量の浪費を確実に抑えることができる。
【発明を実施するための最良の形態】
【００１８】
本願請求項１記載のドアホン装置は、呼出ボタンのボタン操作に応じて呼出信号を出力する玄関子機と、この玄関子機と接続し、前記玄関子機からの呼出信号に応じて応答メッセージを前記玄関子機に出力した後、前記玄関子機からの伝言音声を録音する録音手段を備えた室内親機とを有するドアホン装置であって、前記室内親機は、前記呼出信号を検出すると、前記応答メッセージを出力する前に、前記玄関子機側の収音動作を開始して前記玄関子機の背景音を検出する背景音検出手段と、前記背景音検出手段にて検出した背景音の音声レベルを時間平均して背景雑音レベルを算出し、この算出した背景雑音レベルを記憶する背景雑音レベル算出手段と、この背景雑音レベル算出手段にて前記背景雑音レベルを記憶した後、前記玄関子機からの伝言音声を前記録音手段に録音する際に、前記玄関子機からの伝言音声の音声レベルが前記背景雑音レベル算出手段に記憶中の前記背景雑音レベルよりも小さいか否かを順次判定し、前記伝言音声の音声レベルが前記背景雑音レベルよりも小さいと所定時間連続して判定されると、前記玄関子機の伝言音声を終了と判断する伝言終了判定手段と、この伝言終了判定手段にて前記玄関子機の伝言音声を終了と判断すると、前記録音手段の録音動作を停止する制御手段とを有するようにした。
【００１９】
従って、本願請求項１記載のドアホン装置によれば、前記室内親機にて前記玄関子機からの呼出信号を検出すると、前記応答メッセージを出力する前に、前記玄関子機側の収音動作を開始して前記玄関子機の背景音を検出し、前記背景音の音声レベルを時間平均して背景雑音レベルを算出し、この算出した背景雑音レベルを記憶した後、前記玄関子機からの伝言音声を録音手段に録音する際に、前記玄関子機からの伝言音声の音声レベルが背景雑音レベルよりも小さいか否かを順次判定し、前記伝言音声の音声レベルが背景雑音レベルよりも小さいと所定時間連続して判定されると、前記玄関子機の伝言音声を終了と判断し、前記録音手段の録音動作を停止するようにしたので、伝言録音の度に、玄関子機の現在周囲環境に応じた伝言録音直前の背景雑音レベルを算出し、この背景雑音レベルに基づき伝言音声の終了を判断することになるため、伝言音声の終了を確実に判断することができ、その結果、伝言音声以外の無駄な録音動作を防止しながら、伝言音声を録音するメモリ容量の浪費を確実に抑えることができる。
【００２０】
また、本願請求項２記載のドアホン装置は、上記請求項１記載の構成に加えて、前記背景音検出手段は、音声帯域外の雑音を除去する雑音除去手段を有し、前記玄関子機側の収音動作を開始すると、前記雑音除去手段を通じて前記玄関子機の収音音声から雑音を除去して、前記玄関子機の背景音として検出するようにした。
【００２１】
従って、本願請求項２記載のドアホン装置によれば、上記請求項１記載の効果に加えて、前記玄関子機側の収音動作を開始すると、前記雑音除去手段を通じて前記玄関子機の収音音声から雑音を除去して、前記玄関子機の背景音として検出するようにしたので、伝言終了判定手段の判定精度の向上を図ることができる。
【００２２】
また、本願請求項３記載のドアホン装置は、上記請求項１又は２記載の構成に加えて、前記室内親機は、前記呼出信号に応じて前記応答メッセージを前記玄関子機に出力した後、前記玄関子機側の撮像手段にて撮像した映像を録画する録画手段を有し、前記制御手段は、前記伝言終了判定手段にて前記玄関子機の伝言音声を終了と判断すると、前記録画手段の録画動作を停止するようにした。
【００２３】
従って、本願請求項３記載のドアホン装置によれば、上記請求項１又は２記載の効果に加えて、伝言終了判定手段にて前記玄関子機の伝言音声を終了と判断すると、前記録画手段の録画動作を停止するようにしたので、伝言録音に伴う映像の無駄な録画動作を防止しながら、映像録画に要するメモリ容量の浪費を確実に抑えることができる。
【００２４】
また、本願請求項４記載のドアホン装置は、呼出ボタンのボタン操作に応じて呼出信号を出力する玄関子機と、この玄関子機と接続し、前記玄関子機からの呼出信号に応じて応答メッセージを前記玄関子機に出力した後、前記玄関子機からの伝言音声を録音する録音手段を備えた室内親機とを有するドアホン装置であって、前記室内親機は、前記呼出信号を検出すると、前記応答メッセージを出力する前に、前記玄関子機側の収音動作を開始して前記玄関子機の背景音を検出する背景音検出手段と、前記背景音検出手段にて検出した背景音の音声レベルを時間平均して背景雑音レベルを算出し、この算出した背景雑音レベルを記憶する背景雑音レベル算出手段と、前記録音手段による前記玄関子機の伝言音声の録音動作が完了したか否かを判定する録音完了判定手段と、この録音完了判定手段にて前記録音手段の録音動作が完了したと判定されると、この録音手段に録音された伝言音声を順次再生し、この伝言音声の音声レベルが前記背景雑音レベル算出手段に記憶中の前記背景雑音レベルよりも小さいか否かを順次判定し、前記伝言音声の音声レベルが前記背景雑音レベルよりも小さいと所定時間連続して判定されると、前記玄関子機の伝言音声を終了と判断する伝言終了判定手段と、この伝言終了判定手段にて前記玄関子機の伝言音声を終了と判断された時点の再生箇所以降の伝言音声の録音内容を前記録音手段から削除する制御手段とを有するようにした。
【００２５】
従って、本願請求項４記載のドアホン装置によれば、前記室内親機にて、前記玄関子機からの呼出信号を検出すると、前記応答メッセージを出力する前に、前記玄関子機側の収音動作を開始して前記玄関子機の背景音を検出し、この背景音の音声レベルを時間平均して背景雑音レベルを算出し、この算出した背景雑音レベルを記憶した後、前記玄関子機の伝言音声の録音動作が完了したか否かを判定し、前記録音手段の録音動作が完了したと判定されると、前記録音手段に録音中の伝言音声を順次再生し、この伝言音声の音声レベルが背景雑音レベルよりも小さいか否かを順次判定し、この伝言音声の音声レベルが背景雑音レベルよりも小さいと所定時間連続して判定されると、前記玄関子機の伝言音声を終了と判断し、この伝言音声を終了と判断された時点の再生箇所以降の伝言音声の録音内容を前記録音手段から削除するようにしたので、伝言録音の度に、玄関子機の現在周囲環境に応じた伝言録音直前の背景雑音レベルを算出し、伝言録音完了後に、この背景雑音レベルに基づき伝言音声の終了を判断することになるため、伝言音声の終了を確実に判断することができ、その結果、伝言音声を録音するメモリ容量の浪費を確実に抑えることができる。
【００２６】
また、本願請求項５記載のドアホン装置の録音制御方法は、呼出ボタンのボタン操作に応じて呼出信号を出力する玄関子機と、この玄関子機と接続し、前記玄関子機からの呼出信号に応じて応答メッセージを前記玄関子機に出力した後、前記玄関子機からの伝言音声を録音する録音手段を備えた室内親機とを有するドアホン装置の録音制御方法であって、前記室内親機側で前記呼出信号を検出すると、前記応答メッセージを出力する前に、前記玄関子機側の収音動作を開始して前記玄関子機の背景音を検出するステップと、前記玄関子機の背景音の音声レベルを時間平均して背景雑音レベルを算出し、この算出した背景雑音レベルを記憶するステップと、前記背景雑音レベルを記憶した後、前記玄関子機からの伝言音声を前記録音手段に録音する際に、前記玄関子機からの伝言音声の音声レベルが前記記憶中の前記背景雑音レベルよりも小さいか否かを順次判定し、前記伝言音声の音声レベルが前記背景雑音レベルよりも小さいと所定時間連続して判定されると、前記玄関子機の伝言音声を終了と判断するステップと、前記玄関子機の伝言音声を終了と判断すると、前記録音手段の録音動作を停止するステップとを有するようにした。
【００２７】
従って、本願請求項５記載のドアホン装置の録音制御方法によれば、前記室内親機にて前記玄関子機からの呼出信号を検出すると、前記応答メッセージを出力する前に、前記玄関子機側の収音動作を開始して前記玄関子機の背景音を検出し、前記背景音の音声レベルを時間平均して背景雑音レベルを算出し、この算出した背景雑音レベルを記憶した後、前記玄関子機からの伝言音声を録音手段に録音する際に、前記玄関子機からの伝言音声の音声レベルが背景雑音レベルよりも小さいか否かを順次判定し、前記伝言音声の音声レベルが背景雑音レベルよりも小さいと所定時間連続して判定されると、前記玄関子機の伝言音声を終了と判断し、前記録音手段の録音動作を停止するようにしたので、伝言録音の度に、玄関子機の現在周囲環境に応じた伝言録音直前の背景雑音レベルを算出し、この背景雑音レベルに基づき伝言音声の終了を判断することになるため、伝言音声の終了を確実に判断することができ、その結果、伝言音声以外の無駄な録音動作を防止しながら、伝言音声を録音するメモリ容量の浪費を確実に抑えることができる。
【００２８】
（実施の形態）
以下、図面に基づいて本発明のドアホン装置の実施の形態を示すテレビドアホン装置について説明する。図１は本実施の形態を示すテレビドアホン装置内部の概略構成を示すブロック図である。
【００２９】
図１に示すテレビドアホン装置１は、玄関室外に配置され、来訪者を撮像する撮像機能を備えた玄関子機２と、室内に配置され、玄関子機２にて撮像した来訪者の映像をモニタ表示する映像表示機能を備えた室内親機３と、これら玄関子機２及び室内親機３間を有線接続する伝送線４とを有し、室内親機３及び玄関子機２間で通話可能な構成としている。
【００３０】
玄関子機２は、伝送線４と接続し、室内親機３との通信インタフェースを司る子機側通信インタフェース１１と、室内親機３への呼出を指定する呼出ボタン１２と、この呼出ボタン１２のボタン操作に応じて子機側通信インタフェース１１経由で室内親機３に呼出信号を出力する呼出信号出力部１３と、室内親機３と通話するための子機側マイク１４及び子機側スピーカ１５と、玄関先の来訪者の映像を撮像するカメラ１６と、玄関子機２全体を制御する子機側制御部１７とを有している。
【００３１】
子機側通信インタフェース１１は、子機側マイク１４にて収音した音声及び、カメラ１６にて撮像した映像を、室内親機３に伝送するために変調出力する子機側変調部１１Ａと、室内親機３からの変調出力を復調して子機側スピーカ１５に音声出力する子機側復調部１１Ｂと、子機側変調部１１Ａの変調出力を伝送線４経由で室内親機３に伝送すると共に、伝送線４経由で室内親機３からの変調出力を受信し、この変調出力を子機側復調部１１Ｂに伝送する子機側信号送受信部１１Ｃとを有している。
【００３２】
室内親機３は、伝送線４と接続して玄関子機２との通信インタフェースを司る親機側通信インタフェース２１と、親機側通信インタフェース２１を通じて玄関子機２からの呼出信号を検出する呼出検出部２２と、玄関子機２と通話するための親機側マイク２３及び親機側スピーカ２４と、親機側通信インタフェース２１を通じて玄関子機２に対して伝送する様々な音声メッセージを格納した音声メッセージ格納部２５と、玄関子機２側のカメラ１６にて撮像した来訪者の映像をモニタ出力する映像表示部２６と、タイマ計時動作を実行するタイマ部２７と、様々な情報、例えば留守録モードや通常モードを設定入力する操作部２８と、留守録モード中に玄関子機２からの伝言音声を録音する録音部２９と、留守録モード中に玄関子機２からの来訪者映像を録画する録画部３０と、留守録モード中に玄関子機２からの伝言音声が終了したか否かを判定する伝言終話判定部３１と、室内親機３全体を制御する親機側制御部３２とを有している。
【００３３】
親機側通信インタフェース２１は、親機側マイク２３にて収音した音声を、玄関子機２に伝送するために変調出力する親機側変調部２１Ａと、玄関子機２からの変調出力を復調出力する親機側復調部２１Ｂと、親機側変調部２１Ａの変調出力を伝送線４経由で玄関子機２に送信すると共に、伝送線４経由で玄関子機２からの変調出力を受信し、この変調出力を親機側復調部２１Ｂに伝送する親機側信号送受信部２１Ｃとを有している。
【００３４】
尚、親機側復調部２１Ｂは、通常モード中に親機側信号送受信部２１Ｃを通じて玄関子機２からの変調出力を受信すると、この変調出力を音声及び映像に分離し、音声を親機側スピーカ２４に復調出力すると共に、映像を映像表示部２６に復調出力するものである。
【００３５】
また、親機側復調部２１Ｂは、留守録モード中に親機側信号送受信部２１Ｃを通じて玄関子機２からの変調出力を受信すると、この変調出力を音声及び映像に分離し、音声を伝言終話判定部３１及び録音部２９に復調出力すると共に、映像を録画部３０に復調出力するものである。
【００３６】
また、親機側制御部３２は、呼出検出部２２を通じて玄関子機２からの呼出信号を検出すると、親機側通信インタフェース２１、伝送線４及び子機側通信インタフェース１１を通じて玄関子機２内の子機側マイク１４、子機側スピーカ１５及びカメラ１６への給電動作を開始するものである。
【００３７】
玄関子機２では、呼出ボタン１２のボタン操作後、室内親機３からの給電動作に応じて子機側マイク１４、子機側スピーカ１５及びカメラ１６が起動するものである。
【００３８】
また、親機側制御部３２は、玄関子機２への給電動作を開始すると、音声メッセージ格納部２５に格納中の応答メッセージ、例えば「伝言をお願いします」を親機側変調部２１Ａ、親機側信号送受信部２１Ｃ及び伝送線４を通じて玄関子機２に伝送するものである。
【００３９】
玄関子機２は、伝送線４、子機側信号送受信部１１Ｃ及び子機側復調部１１Ｂを通じて応答メッセージを受信すると、この応答メッセージを子機側スピーカ１５から音声出力するものである。
【００４０】
玄関子機２は、子機側マイク１４を通じて伝言音声を収音すると、この収音した伝言音声を子機側通信インタフェース１１及び伝送線４を通じて室内親機３に伝送するものである。
【００４１】
また、玄関子機２は、カメラ１６を通じて来訪者の映像を撮像すると、この撮像した映像を子機側通信インタフェース１１及び伝送線４を通じて室内親機３に伝送するものである。
【００４２】
室内親機３は、伝送線４及び親機側通信インタフェース２１を通じて玄関子機２からの伝言音声及び来訪者の映像を受信すると、伝言音声を録音部２９及び伝言終話判定部３１に伝送し、同伝言音声を録音部２９に録音すると共に、来訪者の映像を録画部３０に伝送し、同来訪者の映像を録画部３０に録画するものである。
【００４３】
また、伝言終話判定部３１は、留守録モード中に親機側復調部２１Ｂを通じて玄関子機２側の音声から音声帯域外の雑音を除去する音声帯域バンドパスフィルタ部（以下、単に音声帯域ＢＰＦ部と称する）４１と、留守録モード中に呼出信号を検出してから応答メッセージを出力するまでの間の玄関子機２側の背景音を検出する背景音検出部４２と、この背景音検出部４２にて検出した背景音の音声レベルを時間平均して背景雑音レベルを算出し、この算出した背景雑音レベルを記憶する背景雑音レベル算出格納部４３と、背景雑音レベル算出格納部４３に記憶中の背景雑音レベルに基づき、録音部２９の録音動作を終了するタイミングであるか否かを判定する録音終了タイミング判定部４４とを有している。尚、背景音とは、玄関子機２側の子機側マイク１４で収音される現在環境下の雑音を含む音に相当するものである。
【００４４】
録音終了タイミング判定部４４は、背景雑音レベル算出格納部４３にて背景雑音レベルを記憶した後、玄関子機２からの伝言音声を録音部２９に録音する際に、前記玄関子機２からの伝言音声の音声レベルが背景雑音レベル算出格納部４３に格納中の背景雑音レベルよりも小さいか否かを判定する音声レベル判定部４４Ａと、この音声レベル判定部４４Ａにて伝言音声の音声レベルが背景雑音レベルよりも小さいと判定されると、終話カウント値を＋１インクリメントするカウンタ部４４Ｂと、終話カウント値が所定カウント値を超えたか否かを判定し、終話カウント値が所定カウント値を超えたと判定されると、前記玄関子機２の伝言音声を終了と判断するカウンタ判定部４４Ｃとを有している。尚、カウンタ部４４Ｂは、音声レベル判定部４４Ａにて伝言音声の音声レベルが背景雑音レベルよりも小さくないと判定されると、終話カウント値をクリアにするものである。
【００４５】
親機側制御部３２は、カウンタ判定部４４Ｃにて玄関子機２の伝言音声を終了と判断すると、録音終了タイミング判定部４４として録音動作を終了するタイミングであると判断し、伝言音声を録音する録音部２９の録音動作を停止すると共に、来訪者の映像を録画する録画部３０の録画動作も停止するものである。
【００４６】
また、親機側制御部３２は、録音部２９の録音動作を開始すると、タイマ部２７を通じて録音タイマの計時動作を開始し、録音終了タイミング判定部４４にて録音動作を終了するタイミングでないと判定されたとしても、録音タイマがタイムアップしたか否かを判定し、録音タイマがタイムアップしたと判定されると、録音部２９の録音動作を停止すると共に、録画部３０の録画動作を停止するものである。
【００４７】
尚、請求項記載のドアホン装置はテレビドアホン装置１、玄関子機は玄関子機２、室内親機は室内親機３、背景音検出手段は背景音検出部４２、背景雑音レベル算出手段は背景雑音レベル算出格納部４３、伝言終了判定手段は録音終了タイミング判定部４４、制御手段は親機側制御部３２、雑音除去手段は音声帯域ＢＰＦ部４１、録音手段は録音部２９、録画手段は録画部３０に相当するものである。
【００４８】
次に本実施の形態を示すテレビドアホン装置１の動作について説明する。図２及び図３は留守録モード処理に関わる室内親機３内部の親機側制御部３２の処理動作を示すフローチャートである。
【００４９】
図２及び図３に示す留守録モード処理とは、留守録モード中に、玄関子機２を通じて来訪者の伝言音声を室内親機３側の録音部２９に録音する処理である。
【００５０】
図２において親機側制御部３２は、留守録モード設定済みであるか否かを判定する（ステップＳ１１）。尚、留守録モードの設定は、室内親機３側の操作部２８の設定操作で実行するものとする。
【００５１】
親機側制御部３２は、留守録モード設定済みであると判定されると、呼出検出部２２を通じて玄関子機２からの呼出信号を検出したか否かを判定する（ステップＳ１２）。
【００５２】
親機側制御部３２は、呼出検出部２２を通じて玄関子機２からの呼出信号を検出したと判定されると、親機側スピーカ２４を通じて呼出応答音、例えば「ピンポーン」を音声出力する（ステップＳ１３）。
【００５３】
さらに親機側制御部３２は、呼出応答音を音声出力すると、玄関子機２内部の子機側マイク１４及びカメラ１６への給電動作することで子機側マイク１４を起動する（ステップＳ１４）。尚、玄関子機２側では、給電動作に応じてカメラ１６を起動するものである。
【００５４】
親機側制御部３２は、伝送線４、親機側通信インタフェース２１及び音声帯域ＢＰＦ４１経由で、背景音検出部４２を通じて子機側マイク１４にて収音した背景音を順次検出すると（ステップＳ１５）、この背景音を順次記憶し（ステップＳ１６）、玄関子機２に対する応答メッセージの出力タイミングであるか否かを判定する（ステップＳ１７）。尚、応答メッセージとは、玄関子機２側の来訪者に伝言の入力を促す「伝言をお願いします」等のメッセージに相当し、音声メッセージ格納部２５に格納しているものとする。
【００５５】
親機側制御部３２は、応答メッセージの出力タイミングでないと判定されると、背景音を順次検出すべく、ステップＳ１５に移行する。
【００５６】
また、親機側制御部３２は、ステップＳ１７にて応答メッセージの出力タイミングであると判定されると、背景雑音レベル算出格納部４３を通じて、ステップＳ１６にて順次記憶した背景音を時間平均化して背景雑音レベルを算出し（ステップＳ１８）、この算出した背景雑音レベルを背景雑音レベル算出格納部４３に格納する（ステップＳ１９）。
【００５７】
さらに親機側制御部３２は、背景雑音レベル算出格納部４３に背景雑音レベルを格納した後、音声メッセージ格納部２５に格納中の応答メッセージを親機側通信インタフェース２１及び伝送線４を通じて玄関子機２に伝送する（ステップＳ２０）。
【００５８】
さらに親機側制御部３２は、玄関子機２に対して応答メッセージを伝送した後、音声メッセージ格納部２５に格納中の録音開始音を親機側通信インタフェース２１及び伝送線４を通じて玄関子機２に伝送する（ステップＳ２１）。尚、玄関子機２側の来訪者は、子機側スピーカ１５からの録音開始音を受聴することで、伝言音声の入力を開始することになる。
【００５９】
また、親機側制御部３２は、伝送線４及び親機側通信インタフェース２１を通じて玄関子機２からの伝言音声を録音部２９に録音する録音動作を開始する（ステップＳ２２）。尚、親機側制御部３２では、録音部２９の録音動作を開始すると、玄関子機２側のカメラ１６を通じて来訪者の映像を録画する録画部３０の録画動作も開始するものである。
【００６０】
親機側制御部３２は、玄関子機２からの伝言音声を録音する録音動作を開始すると、タイマ部２７を通じて録音タイマの計時動作を開始し（ステップＳ２３）、図３に示すＭ１に移行する。尚、録音タイマは、一回の伝言に対する最大録音許容時間に相当するものである。
【００６１】
また、親機側制御部３２は、ステップＳ１１にて留守録モード設定済みでないと判定されると、又はステップＳ１２にて玄関子機２からの呼出信号を検出しないと判定されると、この処理動作を終了する。
【００６２】
図３に示すＭ１において親機側制御部３２は、伝送線４及び親機側通信インタフェース２１を通じて玄関子機２の伝言音声を検出すると（ステップＳ３１）、伝言終話判定部３１内の音声レベル判定部４４Ａを通じて、伝言音声の音声レベルと背景雑音レベル算出格納部４３に格納中の背景雑音レベルとを比較し（ステップＳ３２）、伝言音声の音声レベルが背景雑音レベルよりも小さいか否かを判定する（ステップＳ３３）。
【００６３】
親機側制御部３２は、伝言音声の音声レベルが背景雑音レベルよりも小さいと判定されると、カウンタ部４４Ｂを通じて終話カウント値を＋１インクリメントし（ステップＳ３４）、カウンタ判定部４４Ｃを通じて、終話カウント値が所定カウント値、例えば“１０”を超えたか否かを判定する（ステップＳ３５）。
【００６４】
親機側制御部３２は、カウンタ判定部４４Ｃを通じて、終話カウント値が所定カウント値を超えたと判定されると、伝言音声の音声レベルが背景雑音レベルよりも小さいと所定時間、例えば３秒間連続して判定されたものと判断して、玄関子機２からの伝言音声が終了したものと判断し（ステップＳ３６）、伝送線４及び親機側通信インタフェース２１を通じて受信した伝言音声を録音する録音部２９の録音動作を停止する（ステップＳ３７）。尚、親機側制御部３２は、玄関子機２からの伝言音声が終了したものと判断すると、玄関子機２からの来訪者の映像を録画する録画部３０の録画動作も停止することになる。
【００６５】
さらに親機側制御部３２は、録音部２９の録音動作を停止すると、音声メッセージ格納部２５に格納中の録音終了音を親機側通信インタフェース２１及び伝送線４を通じて玄関子機２に伝送することで（ステップＳ３８）、この処理動作を終了する。尚、玄関子機２側の来訪者は、子機側スピーカ１５を通じて録音終了音を受聴することで、録音動作が完了したことを認識することができる。
【００６６】
また、親機側制御部３２は、ステップＳ３３にて伝言音声の音声レベルが背景雑音レベルよりも小さくないと判定されると、カウンタ部４４Ｂを通じて終話カウント値をクリアにし（ステップＳ３９）、図２に示すステップＳ２３にて計時動作を開始した録音タイマがタイムアップしたか否かを判定する（ステップＳ４０）。
【００６７】
親機側制御部３２は、録音タイマがタイムアップしたのであれば、伝言音声の録音最大許容時間を超えたものと判断し、録音部２９の録音動作を停止すべく、ステップＳ３７に移行する。
【００６８】
また、親機側制御部３２は、ステップＳ４０にて録音タイマがタイムアップしたのでなければ、伝言音声の検出を継続すべく、ステップＳ３１に移行する。
【００６９】
また、親機側制御部３２は、ステップＳ３５にて終話カウント値が所定カウント値を超えたのでなければ、録音タイマがタイムアップしたか否かを継続判定すべく、ステップＳ４０に移行する。
【００７０】
図２及び図３に示す留守録モード処理によれば、留守録モード中に室内親機３にて玄関子機２からの呼出信号を検出すると、応答メッセージを出力する前に、玄関子機２側の収音動作を開始して玄関子機２の背景音を順次検出し、背景音の音声レベルを時間平均して背景雑音レベルを算出し、この算出した背景雑音レベルを記憶した後、玄関子機２からの伝言音声を録音部２９に録音する際に、玄関子機２からの伝言音声の音声レベルが背景雑音レベルよりも小さいか否かを判定し、伝言音声の音声レベルが背景雑音レベルよりも小さいと判定されると、終話カウント値を＋１インクリメントし、終話カウント値が所定カウント値以上であると判定されると、来訪者側の伝言音声が終了であると判断し、録音部２９の録音動作及び録画部３０の録画動作を停止するようにしたので、伝言録音の度に、玄関子機２の現在周囲環境に応じた伝言録音直前の背景雑音レベルを算出し、この背景雑音レベルに基づき、来訪者側の伝言音声の終了を判断することになるため、伝言音声の終了を確実に判断することができ、その結果、無駄な録音動作及び録画動作を防止しながら、録音部２９及び録画部３０のメモリ容量の浪費を確実に抑えることができる。
【００７１】
本実施の形態によれば、留守録モード中に室内親機３にて玄関子機２からの呼出信号を検出すると、応答メッセージを出力する前に、玄関子機２側の収音動作を開始して玄関子機２の背景音を順次検出し、背景音の音声レベルを時間平均して背景雑音レベルを算出し、この算出した背景雑音レベルを記憶した後、玄関子機２からの伝言音声を録音部２９に録音する際に、玄関子機２からの伝言音声の音声レベルが背景雑音レベルよりも小さいか否かを判定し、伝言音声の音声レベルが背景雑音レベルよりも小さいと所定時間連続して判定されると、玄関子機２の伝言音声を終了と判断し、録音部２９の録音動作を停止するようにしたので、伝言録音の度に、玄関子機２の現在周囲環境に応じた伝言録音直前の背景雑音レベルを算出し、この背景雑音レベルに基づき、来訪者側の伝言音声の終了を判断することになるため、伝言音声の終了を確実に判断することができ、その結果、無駄な録音動作を防止しながら、録音部２９のメモリ容量の浪費を確実に抑えることができる。
【００７２】
また、本実施の形態によれば、背景音検出部４２の前段に音声帯域ＢＰＦ部４１を配置し、玄関子機２側の収音動作を開始すると、音声帯域ＢＰＦ部４１を通じて玄関子機２の背景音から雑音を除去して、玄関子機２の背景音として検出するようにしたので、背景音から音声帯域外の雑音を除去することで、録音終了タイミング判定部４４の判定精度の向上を図ることができる。
【００７３】
また、本実施の形態によれば、録音終了タイミング判定部４４にて玄関子機２の伝言音声を終了と判断すると、録音部２９の録音動作の停止はもちろんのこと、録画部３０の録画動作をも停止するようにしたので、伝言録音に伴う映像の無駄な録画動作を防止しながら、映像録画に要する録画部３０のメモリ容量の浪費を確実に抑えることができる。
【００７４】
尚、上記実施の形態においては、玄関子機２からの伝言音声を録音部２９に録音しながら、伝言音声の音声レベルが背景雑音レベルよりも小さいか否かを順次判定し、伝言音声の音声レベルが背景雑音レベルよりも小さいと判定されると、終話カウント値を＋１インクリメントし、終話カウント値が所定カウント値以上であると判定されると、来訪者側の伝言音声が終了であると判断し、録音部２９の録音動作を停止するようにしたが、例えば、伝言音声の終了を判定動作を実行することなく、録音部２９の伝言音声の録音動作を完了した後、録音部２５に録音中の伝言音声を順次再生し、この再生した伝言音声の音声レベルが背景雑音レベルよりも小さいか否かを順次判定し、伝言音声の音声レベルが背景雑音レベルよりも小さいと所定時間連続して判定されると、玄関子機２の伝言音声を終了と判断し、この伝言音声の終了と判断されて時点の再生箇所以降の伝言音声の録音内容を録音部２９から削除するようにしても良く、この場合、録音部２９のメモリ容量の浪費を確実に抑えることができる。
【産業上の利用可能性】
【００７５】
本発明のドアホン装置によれば、室内親機にて玄関子機からの呼出信号を検出すると、応答メッセージを出力する前に、前記玄関子機側の収音動作を開始して前記玄関子機の背景音を検出し、前記背景音の音声レベルを時間平均して背景雑音レベルを算出し、この算出した背景雑音レベルを記憶した後、前記玄関子機からの伝言音声を録音手段に録音する際に、前記玄関子機からの伝言音声の音声レベルが背景雑音レベルよりも小さいか否かを順次判定し、前記伝言音声の音声レベルが背景雑音レベルよりも小さいと所定時間連続して判定されると、前記玄関子機の伝言音声を終了と判断し、前記録音手段の録音動作を停止するようにしたので、伝言録音の度に、玄関子機の現在周囲環境に応じた伝言録音直前の背景雑音レベルを算出し、この背景雑音レベルに基づき伝言音声の終了を判断することになるため、伝言音声の終了を確実に判断することができ、その結果、伝言音声以外の無駄な録音動作を防止しながら、伝言音声を録音するメモリ容量の浪費を確実に抑えることができるため、例えば住宅用のテレビドアホン装置に有用である。
【図面の簡単な説明】
【００７６】
【図１】本発明のドアホン装置に関わる実施の形態を示すテレビドアホン装置内部の概略構成を示すブロック図
【図２】本実施の形態に関わる室内親機側の留守録モード処理に関わる親機側制御部の処理動作を示すフロー図
【図３】本実施の形態に関わる室内親機側の留守録モード処理に関わる親機側制御部の処理動作を示すフロー図
【符号の説明】
【００７７】
１  テレビドアホン装置（ドアホン装置）
２  玄関子機
３  室内親機
２９  録音部（録音手段）
３０  録画部（録画手段）
３２  親機側制御部（制御手段、録音完了判定手段）
４１  音声帯域ＢＰＦ部（雑音除去手段）
４２  背景音検出部（背景音検出手段）
４３  背景雑音レベル算出格納部（背景雑音レベル算出手段）
４４  録音終了タイミング判定部（伝言終了判定手段）
【図１】
2007281655.tif 000003
【図２】
2007281655.tif 000004
【図３】
2007281655.tif 000005